(57)【要約】【課題】  本発明は、個人情報の保護を確保しながら、より一段とエンタテインメント性を向上させたコミュニケーション用コンテンツを提供することができるメールサーバ装置及びその送受信方法を提供することを目的とする。【解決手段】  情報発信者用メールアドレスを送信先とし、かつユーザ用端末装置４０Ａ固有のメールアドレスを送信元とする電子メールを受信すると、電子メールの送信元であるユーザ用端末装置４０Ａ固有のメールアドレスと対応付けて記憶部６０に記憶されているユーザ用メールアドレスを記憶部６０から読み出し、電子メールの送信元を、ユーザ用端末装置４０Ａ固有のメールアドレスからユーザ用メールアドレスに変換する。【選択図】  図１
2012084959.tif 000002
【特許請求の範囲】
【請求項１】
情報発信者用端末装置及びユーザ用端末装置が接続されたメールサーバ装置において、
前記情報発信者用端末装置固有のメールアドレスと、前記情報発信者用端末装置固有のメールアドレスとは異なるように前記情報発信者用端末装置に割り当てられた情報発信者用メールアドレスとを対応付けて記憶すると共に、前記ユーザ用端末装置固有のメールアドレスと、前記ユーザ用端末装置固有のメールアドレスとは異なるように前記ユーザ用端末装置に割り当てられたユーザ用メールアドレスとを対応付けて記憶する記憶部と、
前記ユーザ用端末装置から送信された電子メール送信要求に応じて、電子メール送信対象の前記情報発信者用端末装置に割り当てられた前記情報発信者用メールアドレスを前記記憶部から読み出し、これを前記ユーザ用端末装置に送信し、
前記ユーザ用端末装置から送信された、前記情報発信者用メールアドレスを送信先とし、かつ前記ユーザ用端末装置固有のメールアドレスを送信元とする電子メールを受信すると、前記電子メールの送信元である前記ユーザ用端末装置固有のメールアドレスと対応付けて前記記憶部に記憶されている前記ユーザ用メールアドレスを前記記憶部から読み出し、前記電子メールの送信元を、前記ユーザ用端末装置固有のメールアドレスから前記ユーザ用メールアドレスに変換した上で、前記記憶部に記憶する制御部と
を備えることを特徴とするメールサーバ装置。
【請求項２】
前記制御部は、
前記情報発信者用端末装置から送信された電子メール送信要求に応じて、前記ユーザ用メールアドレスを送信先とし、かつ前記情報発信者用メールアドレスを送信元とする電子メールを生成し、
当該生成された前記電子メールの送信先である前記ユーザ用メールアドレスと対応付けて前記記憶部に記憶されている前記ユーザ用端末装置固有のメールアドレスを前記記憶部から読み出し、前記電子メールの送信先を、前記ユーザ用メールアドレスから前記ユーザ用端末装置固有のメールアドレスに変換した上で、前記ユーザ用端末装置に送信する
ことを特徴とする請求項１に記載のメールサーバ装置。
【請求項３】
情報発信者用端末装置及びユーザ用端末装置が接続されたメールサーバ装置の送受信方法において、
前記情報発信者用端末装置固有のメールアドレスと、前記情報発信者用端末装置固有のメールアドレスとは異なるように前記情報発信者用端末装置に割り当てられた情報発信者用メールアドレスとを対応付けて記憶すると共に、前記ユーザ用端末装置固有のメールアドレスと、前記ユーザ用端末装置固有のメールアドレスとは異なるように前記ユーザ用端末装置に割り当てられたユーザ用メールアドレスとを対応付けて記憶する記憶ステップと、
前記ユーザ用端末装置から送信された電子メール送信要求に応じて、電子メール送信対象の前記情報発信者用端末装置に割り当てられた前記情報発信者用メールアドレスを前記記憶部から読み出し、これを前記ユーザ用端末装置に送信する送信ステップと、
前記ユーザ用端末装置から送信された、前記情報発信者用メールアドレスを送信先とし、かつ前記ユーザ用端末装置固有のメールアドレスを送信元とする電子メールを受信すると、前記電子メールの送信元である前記ユーザ用端末装置固有のメールアドレスと対応付けて前記記憶部に記憶されている前記ユーザ用メールアドレスを前記記憶部から読み出し、前記電子メールの送信元を、前記ユーザ用端末装置固有のメールアドレスから前記ユーザ用メールアドレスに変換した上で、前記記憶部に記憶する変換ステップと
を備えることを特徴とするメールサーバ装置の送受信方法。
【請求項４】
前記情報発信者用端末装置から送信された電子メール送信要求に応じて、前記ユーザ用メールアドレスを送信先とし、かつ前記情報発信者用メールアドレスを送信元とする電子メールを生成する生成ステップと、
当該生成された前記電子メールの送信先である前記ユーザ用メールアドレスと対応付けて前記記憶部に記憶されている前記ユーザ用端末装置固有のメールアドレスを前記記憶部から読み出し、前記電子メールの送信先を、前記ユーザ用メールアドレスから前記ユーザ用端末装置固有のメールアドレスに変換した上で、前記ユーザ用端末装置に送信する変換送信ステップと
をさらに備えることを特徴とする請求項３に記載のメールサーバ装置の送受信方法。
【発明の詳細な説明】
【技術分野】
【０００１】
本発明は、メールサーバ装置及びその送受信方法に関する。
【背景技術】
【０００２】
近年、電子メールを送受信する際、メールアドレスを秘匿して電子メールを送受信する種々の方法が開発及び提案されている（例えば特許文献１参照）。
【先行技術文献】
【特許文献】
【０００３】
【特許文献１】特開２０００−１７４８０２号公報
【発明の概要】
【発明が解決しようとする課題】
【０００４】
本発明は、個人情報の保護を確保しながら、より一段とエンタテインメント性を向上させたコミュニケーション用コンテンツを提供することができるメールサーバ装置及びその送受信方法を提供することを目的とする。
【課題を解決するための手段】
【０００５】
本発明の一態様によるメールサーバ装置は、
情報発信者用端末装置及びユーザ用端末装置が接続されたメールサーバ装置において、
前記情報発信者用端末装置固有のメールアドレスと、前記情報発信者用端末装置固有のメールアドレスとは異なるように前記情報発信者用端末装置に割り当てられた情報発信者用メールアドレスとを対応付けて記憶すると共に、前記ユーザ用端末装置固有のメールアドレスと、前記ユーザ用端末装置固有のメールアドレスとは異なるように前記ユーザ用端末装置に割り当てられたユーザ用メールアドレスとを対応付けて記憶する記憶部と、
前記ユーザ用端末装置から送信された電子メール送信要求に応じて、電子メール送信対象の前記情報発信者用端末装置に割り当てられた前記情報発信者用メールアドレスを前記記憶部から読み出し、これを前記ユーザ用端末装置に送信し、
前記ユーザ用端末装置から送信された、前記情報発信者用メールアドレスを送信先とし、かつ前記ユーザ用端末装置固有のメールアドレスを送信元とする電子メールを受信すると、前記電子メールの送信元である前記ユーザ用端末装置固有のメールアドレスと対応付けて前記記憶部に記憶されている前記ユーザ用メールアドレスを前記記憶部から読み出し、前記電子メールの送信元を、前記ユーザ用端末装置固有のメールアドレスから前記ユーザ用メールアドレスに変換した上で、前記記憶部に記憶する制御部と
を備える。
【０００６】
また、本発明の一態様によるメールサーバ装置の送受信方法は、
情報発信者用端末装置及びユーザ用端末装置が接続されたメールサーバ装置の送受信方法において、
前記情報発信者用端末装置固有のメールアドレスと、前記情報発信者用端末装置固有のメールアドレスとは異なるように前記情報発信者用端末装置に割り当てられた情報発信者用メールアドレスとを対応付けて記憶すると共に、前記ユーザ用端末装置固有のメールアドレスと、前記ユーザ用端末装置固有のメールアドレスとは異なるように前記ユーザ用端末装置に割り当てられたユーザ用メールアドレスとを対応付けて記憶する記憶ステップと、
前記ユーザ用端末装置から送信された電子メール送信要求に応じて、電子メール送信対象の前記情報発信者用端末装置に割り当てられた前記情報発信者用メールアドレスを前記記憶部から読み出し、これを前記ユーザ用端末装置に送信する送信ステップと、
前記ユーザ用端末装置から送信された、前記情報発信者用メールアドレスを送信先とし、かつ前記ユーザ用端末装置固有のメールアドレスを送信元とする電子メールを受信すると、前記電子メールの送信元である前記ユーザ用端末装置固有のメールアドレスと対応付けて前記記憶部に記憶されている前記ユーザ用メールアドレスを前記記憶部から読み出し、前記電子メールの送信元を、前記ユーザ用端末装置固有のメールアドレスから前記ユーザ用メールアドレスに変換した上で、前記記憶部に記憶する変換ステップと
を備える。
【発明の効果】
【０００７】
本発明のメールサーバ装置及びその送受信方法によれば、個人情報の保護を確保しながら、より一段とエンタテインメント性を向上させたコミュニケーション用コンテンツを提供することができる。
【図面の簡単な説明】
【０００８】
【図１】本発明の実施の形態によるコンテンツ提供システムの構成を示すブロック図である。
【図２】同コンテンツ提供システムにおけるメールサーバ装置の構成を示すブロック図である。
【図３】本発明の実施の形態による電子メール送受信処理手順を示すフローチャートである。
【発明を実施するための形態】
【０００９】
以下、本発明の実施の形態について図面を参照して説明する。
【００１０】
図１に、本発明の実施の形態によるコンテンツ提供システム１０の構成を示す。このコンテンツ提供システム１０は、コミュニケーション用コンテンツを提供するためのウェブサイトを管理するメールサーバ装置２０に、例えばインターネット回線などの通信回線を介して、情報発信者用端末装置３０Ａ〜３０Ｎを接続すると共に、ユーザ用端末装置４０Ａ〜４０Ｎを接続することにより形成される。
【００１１】
このコンテンツ提供システム１０は、例えば芸能人や著名人などの情報発信者と、当該情報発信者のファンであるユーザとが、メールサーバ装置２０によって管理されているウェブサイトを介して、電子メールの送受信を行うことにより、情報発信者とコミュニケーションを行うことができるコミュニケーション用コンテンツをユーザに提供する。
【００１２】
このコンテンツ提供システム１０を形成する端末装置のうち、情報発信者用端末装置３０Ａ〜３０Ｎは、情報発信者が使用する例えば携帯電話機などの端末装置であり、ユーザ用端末装置４０Ａ〜４０Ｎは、ユーザが使用する例えば携帯電話機などの端末装置である。
【００１３】
ここで図２に、メールサーバ装置２０の構成を示し、図３に、本実施の形態による電子メール送受信処理手順を示す。このメールサーバ装置２０の記憶部６０には、コミュニケーション用コンテンツを提供するために必要なソフトウエアが予め記憶されている。制御部５０は、この記憶部６０に記憶されているソフトウエアを読み出して実行することにより、このメールサーバ装置２０を形成する各部の動作を制御する。
【００１４】
本実施の形態の場合、まず、このウェブサイトを管理するオペレータが、メールサーバ装置２０の表示部７０を目視しながら入力部８０を操作することにより、少なくとも、登録対象の情報発信者の氏名と、当該情報発信者が使用する情報発信者用端末装置３０Ａに割り当てられている、当該情報発信者用端末装置３０Ａ固有のメールアドレスとを入力すると、制御部５０は、このコミュニケーション用コンテンツを提供するためのウェブサイトを介して、情報発信者がユーザと電子メールを送受信する際に使用される情報発信者用メールアドレスを生成すると共に、ウェブサイト内に、当該情報発信者が利用可能なページとして、情報発信者用ページを生成し、これら情報発信者の氏名と、情報発信者用端末装置３０Ａ固有のメールアドレスと、情報発信者用メールアドレスと、情報発信者用ページとを対応付けて記憶部６０に記憶する（ステップＳＰ１０）。
【００１５】
その際、制御部５０は、送受信処理部９０を介して情報発信者用端末装置３０Ａと通信を行って、情報発信者用メールアドレスや情報発信者用ページのＵＲＬなどを当該情報発信者用端末装置３０Ａに送信することにより、これらを情報発信者に通知する。
【００１６】
これ以降、情報発信者用端末装置３０Ｂ〜３０Ｎについても、同様の処理を順次実行することにより、メールサーバ装置２０に対して各情報発信者の登録作業を行う。
【００１７】
また、ユーザが、自己のユーザ用端末装置４０Ａを操作し、メールサーバ装置２０が管理するウェブサイトにアクセスすることにより、当該ウェブサイトによって提供されるコミュニケーション用コンテンツを利用できるようにするための会員登録を行う（ステップＳＰ２０）。
【００１８】
具体的には、ユーザは、自己のユーザ用端末装置４０Ａを操作することにより、少なくとも、登録対象のユーザの氏名と、当該ユーザが使用するユーザ用端末装置４０Ａに割り当てられている、当該ユーザ用端末装置４０Ａ固有のメールアドレスとをメールサーバ装置２０に送信する。
【００１９】
メールサーバ装置２０の制御部５０は、ユーザ用端末装置４０Ａから送信されてきた、登録対象のユーザの氏名と、ユーザ用端末装置４０Ａ固有のメールアドレスとを送受信処理部９０を介して受信すると、このコミュニケーション用コンテンツを提供するためのウェブサイトを介して、ユーザが情報発信者と電子メールを送受信する際に使用されるユーザ用メールアドレスを生成し、これらユーザの氏名と、ユーザ用端末装置４０Ａ固有のメールアドレスと、ユーザ用メールアドレスとを対応付けて記憶部６０に記憶する（ステップＳＰ３０）。
【００２０】
その際、制御部５０は、送受信処理部９０を介してユーザ用端末装置４０Ａと通信を行って、会員登録が完了したことを表すメールを当該ユーザ用端末装置４０Ａに送信することにより、コミュニケーション用コンテンツが利用可能になったことをユーザに通知する。
【００２１】
これ以降、ユーザ用端末装置４０Ｂ〜４０Ｎについても、同様の処理を順次実行することにより、メールサーバ装置２０に対して各ユーザの会員登録を行う。
【００２２】
その後、ユーザが、このウェブサイトを閲覧することを目的として、自己のユーザ用端末装置４０Ａを操作すると、ユーザ用端末装置４０Ａは、このウェブサイトの閲覧を要求するための閲覧要求情報をメールサーバ装置２０に送信する（ステップＳＰ４０）。
【００２３】
メールサーバ装置２０の制御部５０は、ユーザ用端末装置４０Ａから送信された閲覧要求情報を送受信処理部９０を介して受信すると、このウェブサイトを表示するために必要なソフトウエアを記憶部６０から読み出し、これを送受信処理部９０を介してユーザ用端末装置４０Ａに送信することにより、当該ウェブサイトをユーザ用端末装置４０Ａの表示画面に表示させる。
【００２４】
この状態において、ユーザが、表示画面に表示されたウェブサイトを閲覧しながら、ユーザ用端末装置４０Ａを操作することにより、このコミュニケーション用コンテンツに登録された複数の情報発信者のうち、所望の情報発信者と電子メールの送受信行うための選択操作を行うと、ユーザ用端末装置４０Ａは、この選択された情報発信者の情報発信者用メールアドレスの取得を要求する取得要求情報（すなわち電子メール送信要求）をメールサーバ装置２０に送信する。
【００２５】
なお、本実施の形態の場合、ユーザ用端末装置４０Ａを使用するユーザが、情報発信者用端末装置３０Ａを使用する情報発信者に電子メールを送信する場合について説明する。
【００２６】
メールサーバ装置２０の制御部５０は、ユーザ用端末装置４０Ａから送信された取得要求情報を送受信処理部９０を介して受信すると、この取得要求情報が示す情報発信者の氏名と対応付けて記憶部６０に記憶されている情報発信者用メールアドレスを当該記憶部６０から読み出し、これを送受信処理部９０を介してユーザ用端末装置４０Ａに送信する（ステップＳＰ５０）。
【００２７】
ユーザ用端末装置４０Ａは、この情報発信者用メールアドレスを受信すると、ユーザが入力操作を行うことにより、当該情報発信者用メールアドレスを送信先とし、かつ当該ユーザ用端末装置４０Ａ固有のメールアドレスを送信元とする電子メールを生成し、これをメールサーバ装置２０に送信する（ステップＳＰ６０）。
【００２８】
メールサーバ装置２０の制御部５０は、このユーザ用端末装置４０Ａから送信されてきた電子メールを送受信処理部９０を介して受信すると、当該電子メールの送信元であるユーザ用端末装置４０Ａ固有のメールアドレスと対応付けて記憶部６０に記憶されているユーザ用メールアドレスを当該記憶部６０から読み出し、当該電子メールの送信元を、ユーザ用端末装置４０Ａ固有のメールアドレスからユーザ用メールアドレスに変換した上で、記憶部６０に記憶する（ステップＳＰ７０）。
【００２９】
また、制御部５０は、電子メールを受信すると、当該電子メールの送信先である情報発信者用メールアドレスと対応付けて記憶部６０に記憶されている情報発信者用端末装置３０Ａ固有のメールアドレスを当該記憶部６０から読み出す。
【００３０】
続いて、制御部５０は、この情報発信者用端末装置３０Ａ固有のメールアドレスを送信先とするメール受信通知メールを生成し、これを送受信処理部９０を介して情報発信者用端末装置３０Ａに送信することにより、電子メールを受信したことを情報発信者に通知する（ステップＳＰ８０）。
【００３１】
なお、この場合、メール受信通知メールをメールサーバ装置２０から情報発信者用端末装置３０Ａに送信することなく、情報発信者が、自発的に受信メールを確認するため、メールサーバ装置２０にアクセスするようにしても良い。
【００３２】
そして、情報発信者が、受信メールを確認するため、情報発信者用ページのうちの受信メール管理画面を閲覧することを目的として、自己の情報発信者用端末装置３０Ａを操作すると、情報発信者用端末装置３０Ａは、この受信メール管理画面の閲覧を要求するための閲覧要求情報（すなわち電子メール送信要求）をメールサーバ装置２０に送信する（ステップＳＰ９０）。
【００３３】
メールサーバ装置２０の制御部５０は、情報発信者用端末装置３０Ａから送信された閲覧要求情報を送受信処理部９０を介して受信すると、この受信メール管理画面を表示するために必要なソフトウエアを記憶部６０から読み出し、これを送受信処理部９０を介して情報発信者用端末装置３０Ａに送信することにより、当該受信メール管理画面を情報発信者用端末装置３０Ａの表示画面に表示させる。
【００３４】
この状態において、情報発信者が、返信用の電子メール作成のため、表示画面に表示された受信メール管理画面を閲覧しながら、情報発信者用端末装置３０Ａを操作すると、メールサーバ装置２０の制御部５０は、送受信処理部９０を介して当該情報発信者用端末装置３０Ａと通信を行うことにより、ユーザ用メールアドレスを送信先とし、かつ情報発信者用メールアドレスを送信元とする電子メールを生成する（ステップＳＰ１００）。
【００３５】
なお、この場合、情報発信者用端末装置３０Ａは、電子メールとして、テキストメール、写真メール及び動画像メールのうち、少なくともいずれかを含む電子メールを生成することができる。
【００３６】
メールサーバ装置２０の制御部５０は、この送信対象の電子メールの送信先であるユーザ用メールアドレスと対応付けて記憶部６０に記憶されているユーザ用端末装置４０Ａ固有のメールアドレスを当該記憶部６０から読み出し、当該電子メールの送信先を、ユーザ用メールアドレスからユーザ用端末装置４０Ａ固有のメールアドレスに変換した上で、ユーザ用端末装置４０Ａに送信する（ステップＳＰ１１０）。
【００３７】
ユーザ用端末装置４０Ａは、メールサーバ装置２０から送信されてきたこの電子メールを受信すると、情報発信者から送信された電子メールを受信したことをユーザに通知することにより、電子メールの閲覧をユーザに促す（ステップＳＰ１２０）。
【００３８】
このように本実施の形態によれば、情報発信者とユーザとの間で電子メールを送受信する際、端末装置に割り当てられている、当該端末装置固有のメールアドレスを秘匿して電子メールを送受信することができ、従って、個人情報の保護を確保しながら、より一段とエンタテインメント性を向上させたコミュニケーション用コンテンツを提供することができる。
【００３９】
なお、上述の実施の形態においては、ユーザから情報発信者に電子メールを送信する場合について述べたが、本発明はこれに限らず、情報発信者からユーザに電子メールを送信するようにしても良い。
【００４０】
この場合、例えば、ユーザが、自己のユーザ用端末装置４０Ａを操作し、メールサーバ装置２０が管理するウェブサイトにアクセスすることにより、所望の情報発信者から配信された例えば写真データ又は動画像データを含む電子メールを受け取るためのファン登録を予め行う。
【００４１】
具体的には、ユーザが、ユーザ用端末装置４０Ａを操作することにより、このコミュニケーション用コンテンツに登録された複数の情報発信者のうち、所望の情報発信者に対してファン登録を行うための選択操作を行うと、ユーザ用端末装置４０Ａは、この選択された情報発信者に対してファン登録を行うことを要求する登録要求情報を当該ユーザ用端末装置４０Ａ固有のメールアドレスと共にメールサーバ装置２０に送信する。
【００４２】
メールサーバ装置２０の制御部５０は、ユーザ用端末装置４０Ａから当該ユーザ用端末装置４０Ａ固有のメールアドレスと共に送信されてきた登録要求情報を送受信処理部９０を介して受信すると、ユーザ用端末装置４０Ａ固有のメールアドレスを、この選択された情報発信者の氏名と対応付けて記憶部６０に記憶することにより、ユーザ用端末装置４０Ａを使用するユーザを、当該選択された情報発信者のファンとして登録する。
【００４３】
そして、この情報発信者が、写真データ又は動画像データをアップロードするため、情報発信者用ページのうちのアップロード管理画面を閲覧することを目的として、自己の情報発信者用端末装置３０Ａを操作すると、情報発信者用端末装置３０Ａは、このアップロード管理画面の閲覧を要求するための閲覧要求情報をメールサーバ装置２０に送信する。
【００４４】
メールサーバ装置２０の制御部５０は、情報発信者用端末装置３０Ａから送信された閲覧要求情報を送受信処理部９０を介して受信すると、このアップロード管理画面を表示するために必要なソフトウエアを記憶部６０から読み出し、これを送受信処理部９０を介して情報発信者用端末装置３０Ａに送信することにより、当該アップロード管理画面を情報発信者用端末装置３０Ａの表示画面に表示させる。
【００４５】
この状態において、情報発信者が、写真データ又は動画像データをアップロードするため、表示画面に表示されたアップロード管理画面を閲覧しながら、情報発信者用端末装置３０Ａを操作すると、情報発信者用端末装置３０Ａは、写真データ又は動画像データを含む電子メールを生成し、これをメールサーバ装置２０に送信する。
【００４６】
メールサーバ装置２０の制御部５０は、この情報発信者用端末装置３０Ａから送信されてきた電子メールを送受信処理部９０を介して受信すると、当該受信された電子メールに含まれる写真データ又は動画像データを、当該情報発信者用端末装置３０Ａを使用する情報発信者の氏名と対応付けて記憶部６０に記憶する。
【００４７】
その際、制御部５０は、送受信処理部９０を介して、予めファン登録されたユーザ用端末装置４０Ａと通信を行って、ファン登録した情報発信者によって写真データ又は画像データがアップロードされたことを告知するための電子メールを送受信処理部９０を介して当該ユーザ用端末装置４０Ａに送信する。
【００４８】
ユーザ用端末装置４０Ａは、メールサーバ装置２０から送信されてきたこの電子メールを受信すると、ファン登録した情報発信者によって写真データ又は動画像データがアップロードされたことをユーザに通知することにより、写真データ又は動画像データの閲覧をユーザに促す。
【００４９】
また、上述の実施の形態においては、記憶部として、記憶部６０を適用した場合について述べたが、本発明はこれに限らず、情報発信者用端末装置３０Ａ〜３０Ｎ固有のメールアドレスと、情報発信者用端末装置３０Ａ〜３０Ｎ固有のメールアドレスとは異なるように情報発信者用端末装置３０Ａ〜３０Ｎに割り当てられた情報発信者用メールアドレスとを対応付けて記憶すると共に、ユーザ用端末装置４０Ａ〜４０Ｎ固有のメールアドレスと、ユーザ用端末装置４０Ａ〜４０Ｎ固有のメールアドレスとは異なるようにユーザ用端末装置４０Ａ〜４０Ｎに割り当てられたユーザ用メールアドレスとを対応付けて記憶する他の種々の記憶部を適用するようにしても良い。
【００５０】
また、上述の実施の形態においては、制御部として、制御部５０を適用した場合について述べたが、本発明はこれに限らず、ユーザ用端末装置４０Ａ〜４０Ｎから送信された取得要求情報に対応する電子メール送信要求に応じて、電子メール送信対象の情報発信者用端末装置３０Ａ〜３０Ｎに割り当てられた情報発信者用メールアドレスを記憶部６０から読み出し、これをユーザ用端末装置４０Ａ〜４０Ｎに送信し、ユーザ用端末装置４０Ａ〜４０Ｎから送信された、情報発信者用メールアドレスを送信先とし、かつユーザ用端末装置４０Ａ〜４０Ｎ固有のメールアドレスを送信元とする電子メールを受信すると、電子メールの送信元であるユーザ用端末装置４０Ａ〜４０Ｎ固有のメールアドレスと対応付けて記憶部６０に記憶されているユーザ用メールアドレスを記憶部６０から読み出し、電子メールの送信元を、ユーザ用端末装置４０Ａ〜４０Ｎ固有のメールアドレスからユーザ用メールアドレスに変換した上で、記憶部６０に記憶する他の種々の制御部を適用するようにしても良い。
【００５１】
また、上述の実施の形態においては、制御部として、制御部５０を適用した場合について述べたが、本発明はこれに限らず、情報発信者用端末装置３０Ａ〜３０Ｎから送信された閲覧要求情報に対応する電子メール送信要求に応じて、ユーザ用メールアドレスを送信先とし、かつ情報発信者用メールアドレスを送信元とする電子メールを生成し、当該生成された電子メールの送信先であるユーザ用メールアドレスと対応付けて記憶部６０に記憶されているユーザ用端末装置４０Ａ〜４０Ｎ固有のメールアドレスを記憶部６０から読み出し、電子メールの送信先を、ユーザ用メールアドレスからユーザ用端末装置４０Ａ〜４０Ｎ固有のメールアドレスに変換した上で、ユーザ用端末装置４０Ａ〜４０Ｎに送信する他の種々の制御部を適用するようにしても良い。
【符号の説明】
【００５２】
１０  コンテンツ提供システム
２０  メールサーバ装置
３０  情報発信者用端末装置
４０  ユーザ用端末装置
５０  制御部
６０  記憶部
７０  表示部
８０  入力部
９０  送受信処理部
【図１】
2012084959.tif 000003
【図２】
2012084959.tif 000004
【図３】
2012084959.tif 000005